(57)【要約】【課題】目地からの雨水の浸入防止性に優れた外壁の防水構造、外壁パネルおよび外壁パネルの防水施工方法を提供する。【解決手段】この外壁の防水構造は、上側の外壁パネル１の屋外側の下部と下側の外壁パネル１の屋外側の上部との間に横目地が形成され、この横目地の端に縦目地が形成される外壁の防水構造である。そして、上記上側の外壁パネル１の下部の屋外側に垂れ部１６が成されており、この垂れ部１６の横側端面の近傍の裏面と、上記下側の外壁パネル１の上部の横側端面の近傍の屋外面との少なくとも一方にシール材１５が設けられており、上記シール材１５の一端側は纏められて上記横目地に収められている。【選択図】図４
2018053669.tif 000002
【特許請求の範囲】
【請求項１】
上側の外壁パネルの屋外側の下部と下側の外壁パネルの屋外側の上部との間に横目地が形成され、この横目地の端に縦目地が形成される外壁の防水構造であって、
上記上側の外壁パネルの下部の屋外側に垂れ部が成されており、この垂れ部の横側端面の近傍の裏面と、上記下側の外壁パネルの上部の横側端面の近傍の屋外面との少なくとも一方にシール材が設けられており、上記シール材の一端側は纏められて上記横目地に収められたことを特徴とする外壁の防水構造。
【請求項２】
請求項１に記載の外壁の防水構造において、上記シール材の他端側が屋内面へ延長されていることを特徴とする外壁の防水構造。
【請求項３】
請求項２に記載の外壁の防水構造において、上記シール材の他端側は、上記下側の外壁パネルの屋内面と、上記上側の外壁パネルの屋内側の突出部との間で挟まれることを特徴とする外壁の防水構造。
【請求項４】
請求項１〜請求項３のいずれか１項に記載の外壁の防水構造において、上記上側の外壁パネルの下部と、上記下側の外壁パネルの上部のいずれか一方に上記シール材が設けられ、このシール材と重なるように別のシール材が他方の外壁パネルに設けられることを特徴とする外壁の防水構造。
【請求項５】
上部側に横目地となる目地部位が形成されており、横側端面の近傍の屋外面に、少なくとも上記目地部位の上側となる箇所から下方向にシール材が設けられていることを特徴とする外壁パネル。
【請求項６】
請求項５に記載の外壁パネルにおいて、上記シール材の他端側が当該外壁パネルの上端を越えて屋内面へ延長されていることを特徴とする外壁パネル。
【請求項７】
請求項５または請求項６に記載の外壁パネルを用い、施工現場で、上記シール材の下部側となる一端側を纏めて上記目地部位に収めることを特徴とする外壁パネルの防水施工方法。
【請求項８】
上部側に横目地となる目地部位が形成された外壁パネルを用い、施工現場で、上記外壁パネルの横側端面の近傍の屋外面に、少なくとも上記目地部位の上側となる箇所からシール材を設け、上記シール材の下部側となる一端側を纏めて上記目地部位に収めることを特徴とする外壁パネルの防水施工方法。
【請求項９】
請求項８に記載の外壁パネルの防水施工方法において、上記シール材の他端側を当該外壁パネルの上端を越えて屋内面へ延長させることを特徴とする外壁パネルの防水施工方法。
【発明の詳細な説明】
【技術分野】
【０００１】
この発明は、雨水の浸入を防止できる外壁の防水構造、外壁パネルおよび外壁パネルの防水施工方法に関する。
【背景技術】
【０００２】
例えば、外壁パネルとして用いられるサンドイッチパネルには、上部側に横目地となる目地部位が形成されたものがある。そして、このようなサンドイッチパネルの下端であって屋外側となる箇所には、下側の他のサンドイッチパネルの上記目地部位の上部の屋外側に位置する垂れ部が形成されている。そして、外壁縦目地となるサンドイッチパネルの横側端面の箇所において、上記垂れ部と上記目地部位との隙間をシール材によってシールするようにしている。
【０００３】
特許文献１には、目地シール材が開示されている。この目地シール材は、各住宅用外壁パネルの対向端面間に画成される縦目地と横目地との十字状交差部を密封するための目地シール材であって、目地シール材が、縦目地１次上下側止水材及び縦目地２次上下側止水材から成る縦目地シール材と、横目地１次左右側止水材及び横目地２次左右側止水材から成る横目地シール材と、縦目地２次上側止水材と横目地２次左右側止水材との十字状交差部に横断面が略Ｚ字状の縦目地３次止水材を介在せしめて成るので、十字状交差部及びその近傍における縦目地に対する縦目地３次止水材の簡単な挿着作業によって、良好な止水性を確保することを可能にする。
【０００４】
また、特許文献２には、外壁目地交差部の防水構造が開示されている。この外壁目地交差部の防水構造は、各々パネルフレームに下地桟を介して外壁面材が張られた２枚の上側外壁パネルおよび２枚の下側外壁パネルが並設された箇所の防水構造であって、左右の外壁パネルにおける外壁面材と外壁下地桟の間に一側縁が各々挟み込まれた一対の帯状の縦目地防水シートを互いに他側縁結合状態に設け、上下の外壁パネルにおける外壁面材と外壁下地桟の間に一側縁が各々挟み込まれた一対の帯状の横目地防水シートを互いに他側縁結合状態に設け、上下左右の外壁パネルの下地桟および外壁面材の間に形成される縦目地と横目地との交差部付近に、略上記下地桟の厚みに対応する十字状止水材を嵌合させ、この止水材の横片部分の表側面には横方向に延びるシート結合溝を設け、上記横目地防水シートの結合部分を上記シート結合溝に差し込み、上記縦目地および横目地に、ゴム状弾性体からなる目地仕上げ材を、上記縦横の目地防水シートの外側から嵌合させている。
【先行技術文献】
【特許文献】
【０００５】
【特許文献１】特許第３８９１７３１号
【特許文献２】特許第３３４４８００号
【発明の概要】
【発明が解決しようとする課題】
【０００６】
しかしながら、上記垂れ部と上記目地部位との隙間に入れられるシール材が専用の定型材であると、このシール材の寸法誤差或いは隙間の寸法誤差により、上記隙間が完全にはシールされず、雨水が浸入するおそれがあった。また、カッター等で切り取ったブロック状のシール材を上記隙間に入れる方法でも、上記切り取りに誤差が生じ、上記隙間を完全にシールできないことがある。また、上記の特許技術では、上記の問題点を解決できない。
【０００７】
この発明は、上記の事情に鑑み、目地からの雨水の浸入防止性に優れた外壁の防水構造、外壁パネルおよび外壁パネルの防水施工方法を提供する。
【課題を解決するための手段】
【０００８】
この発明の外壁の防水構造は、上記の課題を解決するために、上側の外壁パネルの屋外側の下部と下側の外壁パネルの屋外側の上部との間に横目地が形成され、この横目地の端に縦目地が形成される外壁の防水構造であって、上記上側の外壁パネルの下部の屋外側に垂れ部が成されており、この垂れ部の横側端面の近傍の裏面と、上記下側の外壁パネルの上部の横側端面の近傍の屋外面との少なくとも一方にシール材が設けられており、上記シール材の一端側は纏められて上記横目地に収められたことを特徴とする。
【０００９】
上記の構成であれば、シール材が纏められて上記目地部位内に収められるので、専用の定型シール材を用いるような場合やカッターで切り取られたブロック状のシール材を用いるような場合の不完全なシール状態を生じ難くすることができる。また、上記シール材として汎用のテープ状のシール材を用いることが可能であり、この場合には専用の定型シール材を用いる場合に比べて低コスト化も図れる。
【００１０】
上記シール材の他端側が屋内面へ延長されていてもよい。これによれば、上記屋内面での防水性を高めることができる。
【００１１】
上記シール材の他端側は、上記下側の外壁パネルの屋内面と、上記上側の外壁パネルの屋内側の突出部との間で挟まれるようにしてもよい。これによれば、上側に位置する外壁パネルの屋内側の突出部と上記屋内面との間の防水性を向上させることができる。
【００１２】
上記上側の外壁パネルの下部と、上記下側の外壁パネルの上部のいずれか一方に上記シール材が設けられ、このシール材と重なるように別のシール材が他方の外壁パネルに設けられていてもよい。これによれば、下側の外壁パネルの上端と上側の外壁パネルの下端との間の防水性を向上させることができる。
【００１３】
この発明の外壁パネルは、上部側に横目地となる目地部位が形成されており、横側端面の近傍の屋外面に、少なくとも上記目地部位の上側となる箇所から下方向にシール材が設けられていることを特徴とする。これによれば、外壁パネルの工場出荷段階で上記シール材を設けておくことができるので、施工現場で上記シール材を設ける必要がなくなり、防水品質にバラツキが生じるのを軽減できる。
【００１４】
上記シール材の他端側が当該外壁パネルの上端を越えて屋内面へ延長されていてもよい。これによれば、上記屋内面での防水性を高めることができる。
【００１５】
この発明の外壁パネルの防水施工方法は、上記外壁パネルを用い、施工現場で、上記シール材の下部側となる一端側を纏めて上記目地部位内に収めることを特徴とする。これによれば、外壁パネルの工場出荷段階で上記シール材を設けておくことができるので、施工現場で上記シール材を貼り付ける必要がなくなり、防水品質にバラツキが生じるのを軽減できる。
【００１６】
また、この発明の外壁パネルの防水施工方法は、上部側に横目地となる目地部位が形成された外壁パネルを用い、施工現場で、上記外壁パネルの横側端面の近傍の屋外面に、少なくとも上記目地部位の上側となる箇所からシール材を設け、上記シール材の下部側となる一端側を纏めて上記目地部位に収めることを特徴とする。これによれば、施工現場で上記シール材を設ける必要があるが、専用の定型シール材を用いるような場合やカッターで切り取られたブロック状のシール材を用いるような場合の不完全なシール状態を生じ難くすることができる。
【００１７】
上記シール材の他端側が当該外壁パネルの上端を越えて屋内面へ延長させるようにしてもよい。これによれば、上記屋内面での防水性を高めることができる。
【発明の効果】
【００１８】
本発明であれば、目地からの雨水の浸入防止性に優れるという効果を奏する。
【図面の簡単な説明】
【００１９】
【図１】本発明の実施形態の防水構造で用いる外壁パネルを示した図であって、同図（Ａ）は下側の外壁パネルおよび上側の外壁パネルの横端部側を示した概略の斜視図であり、同図（Ｂ）は、上側の外壁パネルを上下反転させてその下端部を上に向けて示した概略の斜視図である。
【図２】本発明の実施形態の防水構造で用いる外壁パネルを示した図であって、同図（Ａ）は下側の外壁パネルおよびセラミックウール等が設けられた上側の外壁パネルの横端部側を示した概略の斜視図であり、同図（Ｂ）は、セラミックウール等が設けられた上側の外壁パネルを上下反転させてその下端部を上に向けて示した概略の斜視図である。
【図３】本発明の実施形態の外壁パネルの防水構造の施工状態を示した図であって、下側の外壁パネルおよび上側の外壁パネルにシール材を貼り付けた状態を示した概略の斜視図である。
【図４】本発明の実施形態の外壁パネルの防水構造の施工状態を示した図であって、下側の外壁パネルに貼り付けておいたシール材の下端側を剥がして纏めた状態を示した概略の斜視図である。
【図５】本発明の実施形態の外壁パネルの防水構造の施工状態を示した図であって、左右に隣り合う外壁パネルの縦目地に目地カバー等を設けた状態を示した概略の斜視図である。
【発明を実施するための形態】
【００２０】
以下、この発明の実施の形態を添付図面に基づいて説明する。
図１（Ａ）は、この実施形態の防水構造において用いられる下側の外壁パネル１および上側の外壁パネル１の横端部側を示した概略の斜視図であり、図１（Ｂ）は、上側の外壁パネル１を上下反転させてその下端部を上に向けて示した概略の斜視図である。上記外壁パネル１として、例えば、サンドイッチパネルが用いられる。このサンドイッチパネルは、表面側となる外側鋼板１ａ、芯材１ｂ、裏面側となる内側鋼板１ｃを有する。上記芯材１ｂはロックウールやグラスウール等からなる。
【００２１】
上記外壁パネル１の上端には、凸部１１が形成されるとともに当該凸部１１よりも下側（外壁パネル１の上部側）に横目地となる目地部位１２が形成されている。また、上記凸部１１と上記目地部位１２との間には、横方向に長く凹部１３が形成されている。さらに、上記外壁パネル１の屋内側の上部位置には横方向に長く段部１４が形成されている。各外壁パネル１は、上記凹部１３の箇所からねじ込まれたドリルビス等によって図示しない胴縁（リップ溝型鋼等）に固定される。
【００２２】
また、上記外壁パネル１の下端の屋内側には突出部１５が横方向に長く形成されており、屋外側には垂れ部１６が横方向に長く形成されている。上記突出部１５と上記垂れ部１６との間には、上記凸部１１が嵌合する凹部が形成されている。
【００２３】
図２（Ａ）および図２（Ｂ）に示すように、上側の外壁パネル１における上記突出部１５と上記垂れ部１６との間の凹部には、耐火材である例えばセラミックウール２とテープ状の粘着面付きのシール材３が、例えば、施工現場において貼り付けられる。上記シール材３は上記凹部の屋外側であって、上記垂れ部１６を形成する上記外側鋼板１ａにおける上記凹部内端部上に貼られる。なお、上記セラミックウール２、上記シール材３、後述するシール材４，５、６等は、上側の外壁パネル１と下側の外壁パネル１とを嵌合させる前に設けられる。
【００２４】
図３に示すように、上側の外壁パネル１における上記突出部１５と上記垂れ部１６との間の凹部の横側端面の近傍には、上記セラミックウール２および上記シール材３に交差するように、テープ状の粘着面付きのシール材（別のシール材）４が貼り付けられる。また、上記シール材４は、上記凹部の屋外側の立面（上記垂れ部１６の裏面）を形成する外側鋼板１ａから、上記垂れ部１６の下端を形成する外側鋼板１ａにかけても貼り付けられ、さらに、上記突出部１５にも貼り付けられる。上記シール材４の貼り付け作業は、例えば、施工現場において行われる。上記シール材４としては、例えば、厚さが８〜１５ｍｍで幅が１０〜１５ｍｍのものが用いられる。上記シール材４としては、用いる外壁パネル次第で様々な厚さや幅のものが用いられることになる。図では、便宜上、上記シール材４の厚さを薄くして描いている。また、下側の外壁パネル１および上側の外壁パネル１の嵌合は、図の状態よりも、上下の外壁パネル１、１がもう少し接近して完了となる。このとき、上記シール材４と後述のシール材５とが、上下の外壁パネル１、１の凸部１１と凹部との嵌合箇所において互いに圧接することになる。なお、上記垂れ部１６によって上記目地部位１２の全部が塞がれることはない。他の図においても同様である。
【００２５】
上記下側の外壁パネル１の横側端面の近傍の屋外面には、テープ状の粘着面付きのシール材５が、上記目地部位１２の上側となる箇所から当該目地部位１２内を通り、下方向に設けられる。上記シール材５としても、例えば、厚さが８〜１５ｍｍで幅が１０〜１５のものが用いられるが、用いる外壁パネル次第で厚さや幅は異なることになる。また、図では、便宜上、上記シール材５の厚さを薄くして描いている。上記シール材５における上記目地部位１２の下側に位置する部分である一端側については、上記目地部位１２の下縁から例えば５〜１０ｃｍ程度の長さで設けられる。この長さは、用いる外壁パネル次第で異なることになる。また、この一端側のシール材部分は、後述の纏めが行われるまでの間、剥離紙を付けたままとしてもよいし、剥離紙を剥がして粘着面を屋外面に貼り付けておいてもよい。上記シール材５の取り付け作業は、例えば、施工現場において行われる。また、上記シール材５の他端側は、上記上端の凸部１１を越えて屋内面（例えば、上記段部１４の下部）へ延長されている。
【００２６】
上記下側の外壁パネル１の横側端面の近傍の屋外面であって上記凹部１３の箇所にもテープ状の粘着面付きのシール材６を貼り付ける。図では、厚さが薄いシール材６を２枚重ねているが、これに限らず、厚さが厚いシール材を１枚用いるようにしてもよい。また、上記シール材６の貼り付け作業は、例えば、施工現場において行われる。
【００２７】
そして、図４に示すように、施工現場において、上記シール材５の下部側となる一端側を纏めて上記目地部位１２内に収める。このシール材の纏め作業は、下側の外壁パネル１の上側に上側の外壁パネル１を嵌合させた後に行われる。また、この纏め方としては、上記シール材５の下部側を巻いて丸めたり、折り畳んだりする方法がある。また、この纏められた状態では、シール材間には隙間が生じないようにし、また、上記シール材５が上記目地部位１２の屋外端を越えて盛り上がるようにするのが望ましい。このように盛り上がっていると、後述する目地カバー７で押され、さらに隙間が生じにくくなる。なお、上記目地部位１２内の上記纏められたシール材５の横位置に、定型または不定形のシール材１２ａを設けてもよい。
【００２８】
次に、図５に示すように、施工現場において、目地カバー７を配置する。なお、図では、上記外壁パネル１と左右に隣り合う外壁パネルの図示を省略している。上記目地カバー７は、左右に隣り合う外壁パネル間に形成される縦目地内に入り込む矩形状の凸部を有しており、この凸部の左右側に板状部が曲げ形成されたハット形状を有する。なお、上記縦目地内には、上記目地カバー７の取り付けに先だって、耐火材として例えばセラミックウール７１を入れ込んでおく。また、上記目地カバー７の上記板状部の裏面側には、上記矩形状の凸部を両側から挟み込むように、テープ状の粘着面付きのシール材７２を貼り付けておく。上記シール材７２としては、例えば、厚さが５ｍｍで幅が２０ｍｍのものが用いられる。
【００２９】
上記の構成であれば、シール材５の下部側となる一端側が纏められて上記目地部位１２内に収められるので、専用の定型シール材を用いるような場合やカッターで切り取られたブロック状のシール材を用いるような場合の不完全なシール状態を生じ難くすることができ、上記目地部位(横目地)１２から上記縦目地への雨水浸入の防止力を高めることができる。また、シール材５として汎用のテープ状のシール材を用いると、この場合には専用の定型シール材を用いる場合に比べて低コスト化も図れる。なお、粘着面付きのシール材を用いることに限定されず、現場でシール材に粘着剤を塗布するようにしてもよい。
【００３０】
上記シール材５の他端側が上記上端の凸部１１を越えて屋内面へ延長されていると、上記屋内面での防水性を高めることができる。
【００３１】
上記シール材５の他端側が上側の外壁パネル１の屋内側の突出部１５と上記屋内面との間で挟まれるようにしてあると、上側の外壁パネル１の屋内側の突出部１５と上記屋内面との間の防水性を向上させることができる。
【００３２】
上側に位置する外壁パネル１の下端側であってその横側端面の近傍にシール材４が設けられていると、外壁パネル１の上端と上側に位置する外壁パネル１の下端との間の防水性を向上させることができる。
【００３３】
図３に示したシール材５を備える外壁パネル１については、施工現場ではなく、工場出荷に上記シール材５が備えられていてもよい。これによれば、外壁パネル１の工場出荷段階で上記シール材５が貼られているので、施工現場で上記シール材を貼り付ける必要がなくなり、防水品質にバラツキが生じるのを軽減できる。そして、かかる構成においても、上記シール材５の他端側が上記上端の凸部１１を越えて屋内面へ延長されていてもよい。これによれば、上記屋内面での防水性を高めることができる。
【００３４】
また、この発明の外壁パネルの防水施工方法においては、施工現場で上記シール材５を貼ることに限らず、上述の出荷段階で上記シール材５を備える外壁パネルを用い、施工現場で、上記シール材５の下部側となる一端側を纏めて上記目地部位１２内に収めるようにしてもよい。これによれば、外壁パネル１の工場出荷段階で上記シール材５を設けておくので、施工現場で上記シール材５を設ける必要がなくなり、防水品質にバラツキが生じるのを軽減できる。
【００３５】
なお、上記シール材３，４，５，６としては、半独立気泡ＥＰＤＭ（エチレン・プロピレン・ジエンゴム）を用いることができるが、このようなゴム限るものではないし、また、ゴム以外の素材からなるものでもよい。
【００３６】
また、上記の実施形態では、上記のように纏められるシール材５を下側の外壁パネル１に設けたが、これに限らず、上側の外壁パネル１の下端側に設けた上記シール材４において、その一端側を纏めて上記目地部位１２内に収めるようにしてもよい。また、上記シール材５とシール材４の両方において、それぞれの一端側を纏めて上記目地部位１２内に収めるようにしてもよい。
【００３７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３８】
１            ：外壁パネル
１ａ          ：外側鋼板
１ｂ          ：芯材
１ｃ          ：内側鋼板
２            ：セラミックウール
３            ：シール材
４            ：シール材
５            ：シール材
６            ：シール材
７            ：目地カバー
１１          ：凸部
１２          ：目地部位
１２ａ        ：シール材
１３          ：凹部
１４          ：段部
１５          ：突出部
１６          ：垂れ部
７１          ：セラミックウール
７２          ：シール材
【図１】
2018053669.tif 000003
【図２】
2018053669.tif 000004
【図３】
2018053669.tif 000005
【図４】
2018053669.tif 000006
【図５】
2018053669.tif 000007